(57)【要約】【課題】  本発明は充電中に光触媒作用によって汚れを落とすことができ抗菌シートを貼着した端末に充電する充電器を提供する。【解決手段】  光触媒層１５は透明ではあるが、厚みに応じた色を発色する。そして、光触媒層１５は経年使用による摩擦で厚みが薄くなるので、発色の色も変化する。そこで、本発明のインジケータ６では、表示部６ａは使用開示時の色、表示部６ｄは光触媒機能を発揮できない程度まで光触媒層１５が薄くなった時の色、表示部６ｂと６ｃはこの中間の状態を表す色としている。【選択図】        図１
2019071575.tif 000002
【特許請求の範囲】
【請求項１】
操作画面に光触媒膜を有する抗菌シートを貼着するか操作画面に光触媒膜を積層した端末用の充電器であって、前記光触媒膜は多数の薄膜積層体からなり、この薄膜積層体は光触媒物質薄膜体とこの光触媒物質薄膜体を支持する支持物質薄膜体とが交互に且つ対向する光触媒物質薄膜体間に空隙部を介して積層されることで、積層厚みに応じた反射色を呈し、また、充電器には充電中に前記光触媒膜に紫外線を照射する光源と前記光触媒層の摩耗の度合いを色で示すインジケータが形成されていることを特徴とする端末用の充電器。
【請求項２】
請求項１に記載の端末用の充電器は、前面側壁部と背面側壁部との間に端末を挿入するタイプで、前面側壁部または背面側壁部の充電中に端末の操作画面に対向する面に紫外線を照射する面状光源が設けられ、前記背面側壁部の充電中の端末上端よりも高い位置に前記インジケータが設けられていることを特徴とする端末用の充電器。
【請求項３】
請求項１に記載の端末用の充電器は、端末の操作画面を下にした状態で充電する皿状タイプであり、前記操作画面と対向する底面には紫外線を照射する面状光源とインジケータが設けられていることを特徴とする端末用の充電器。
【発明の詳細な説明】
【技術分野】
【０００１】
本発明は、光触媒膜からなる抗菌シートを貼着した端末用の充電器に関する。
【背景技術】
【０００２】
スマートホンなどの携帯端末の表面は、操作画面でもあるので、使用時には人が常に指で触っている。その結果、皮脂による指紋が付着して画面が見にくくなるほか、画面に付着して増殖しているO157菌など有害菌が指先に付着して、結果として口内を経由して体内に入り、食中毒を伝染するなど、携帯端末が病原菌感染の媒体となっている。
さらに従来の紫外線では、病原菌の増殖は抑えることができるが、光触媒による効果は、指紋、皮脂を除去するほか病原菌を殺菌し、病原菌の遺体、毒素、糞も分解するなど光触媒ならではの有機物分解機能を持っている。
従来のクリーニング方法は、清掃液をスポイト器具を使って画面上に数滴垂らし、クロスで画面上を隈なく拭くものであるが、時間と手間がかかり、効果も指紋を除去するほどで殺菌効果はない。
【０００３】
そこで、特許文献１には、携帯端末のケース表面に印刷する印刷材として、光触媒を混合したものを印刷し、当該印刷材に紫外線が照射されることでケース表面の汚れが分解されることが記載されている。
【０００４】
特許文献２には、携帯端末を挿入するタイプの充電器として、内部に紫外線の光源を設け、この光源からの紫外線を携帯端末表面の光触媒を混合した表面に照射することで、充電中に携帯端末表面の汚れ（有機物）を分解することが記載されている。
【０００５】
また特許文献３にも特許文献２と同様に携帯端末用のケースとして、紫外線の光源を設け、ケース表面の光触媒に紫外線を照射することで、汚れを分解することが記載されている。
【０００６】
特許文献４には、特異的な光触媒膜の形成方法が提案されている。具体的には透明シート等の基板表面に光触媒物質薄膜体と該光触媒物質薄膜体を支持する支持物質薄膜体とを積層した薄膜積層体を備え、前記光触媒物質薄膜体の前記基板表面に対向する面の一部に前記支持物質薄膜体が積層しないことにより形成される空隙部を備えた構造の光触媒発色部材が提案されている。
【先行技術文献】
【特許文献】
【０００７】
【特許文献１】特開２００１‐３３３１６８号公報
【特許文献２】特開２０１３‐２３６４１４号公報
【特許文献３】特開２０１３‐２３６１２０号公報
【特許文献４】特許第３４４３６５６号公報
【発明の開示】
【発明が解決しようとする課題】
【０００８】
スマートホンなどの端末のケースを構成する樹脂にチタニアなどの光触媒を混合すると、光触媒作用によってケース自体の劣化を招く。
【０００９】
保護シートを操作画面に貼り付けた場合、使用中は常に指先でなぞったりタップしたり或いは耳などに押しつけている。このため高硬度の光触媒膜であっても長期間の使用により、光触媒膜は摩耗して徐々に厚みが薄くなり光触媒効果を発揮しなくなる。
【００１０】
特許文献１〜３には光触媒膜（保護シート）が薄くなって光触媒を発揮しなくなったことをどのようにして使用者に知らせるかについての記載がない。特許文献４においても、その点についての対策は記載されていない。
【課題を解決するための手段】
【００１１】
本発明は特許文献４に開示されている積層構造の光触媒薄膜は、その膜厚に応じた発色をすることを利用して本願発明をなしたものである。
【００１２】
即ち、本発明は操作画面を構成するガラス面に光触媒を積層するか、光触媒積層を有する抗菌シートをガラス面に貼着した端末用の充電器に関し、前記光触媒積層抗菌シートは多数の薄膜積層体からなり、この薄膜積層体は光触媒物質薄膜体とこの光触媒物質薄膜体を支持する支持物質薄膜体とが交互に且つ対向する光触媒物質薄膜体間に空隙部を介して積層されることで、積層厚みに応じた反射色を呈し、また、充電器には充電中に前記光触媒膜に紫外線を照射する光源と前記光触媒層の摩耗の度合いを色で示すインジケータが形成された構成である。
【００１３】
前記充電器としては例えば、前面側壁部と背面側壁部との間に端末を挿入するタイプで、前面側壁部または背面側壁部の充電中に端末の操作画面に対向する面に紫外線を照射する面状光源が設けられ、前記背面側壁部の充電中の端末上端よりも高い位置に前記インジケータが設けられたものが考えられる。
【００１４】
また前記充電器の別の例としては、端末の操作画面を下にした状態で充電する皿状タイプで、前記操作画面と対向する底面に紫外線を照射する面状光源とインジケータが設けられたものが考えられる。
尚、充電器のタイプとしては上記の例に限定されるものではない。
【発明の効果】
【００１５】
本発明に係る端末用の充電器によれば、経年の使用によって光触媒作用が劣化したことをインジケータの色と比べることで簡単に分かるため、抗菌シートの交換時期を正確に知ることができる。
【００１６】
また、本発明に係る端末用の充電器によれば、上記の抗菌シートを操作画面に貼着した端末に充電を行う際に、抗菌シート表面に近い位置から紫外線を照射できるため、触媒作用による汚れ（有機物）の分解を効果的に行うことができる。
【図面の簡単な説明】
【００１７】
【図１】本発明に係る端末用の充電器の充電前の状態を示す図
【図２】同充電器の充電中の状態を示す図
【図３】別実施例に係る端末用充電器の斜視図
【図４】端末の操作画面に貼着する抗菌シートの構造を説明した図
【発明を実施するための最良の形態】
【００１８】
以下に本発明の実施例を添付図面を参照しつつ説明する。
図１は本発明に係る充電器の一例としての卓上型充電器１を示している。この卓上型充電器１は前面側壁部２と背面側壁部３の間に携帯端末１０をセットする溝部４が形成され、この溝部４の底部には充電用の端子が形成されている。
【００１９】
また、前面側壁部２の内側面にはセットされた携帯端末１０の操作画面に貼着された抗菌シート１１に紫外線を照射する面状光源５が設けられている。面状光源５としては、多数のＬＥＤを並べた構造等が考えられる。
【００２０】
上記卓上型充電器１は通常の卓上充電器よりも前面側壁部２及び背面側壁部３の高さが高くなっている。具体的には前面側壁部２の最上端がセットした状態の携帯端末２の高さ方向を基準として１／２よりも高くなるように設定されている。このように前面側壁部２の高さを高くすることで、光源５の位置も高くなり、抗菌シート１１の表面に設けた光触媒層の全面に紫外線が届くことになる。
【００２１】
また背面側壁部３の前面側の上部でセットした状態の携帯端末２の上端よりも高くなる位置にはインジケータ６が設けられている。このインジケータ６は複数（図では４つ）の色が異なる表示部６ａ、６ｂ、６ｃ、６ｄから構成されている。各表示部の色は抗菌シート１１表面に形成した光触媒層の摩耗による減り具合に対応したものである。
【００２２】
図４に示すように、抗菌シート１１の一方の端部にはカメラのレンズ用の穴１２及びスピーカ用の穴１３が形成され、他方の端部にはオンオフ用のボタン操作穴１４が形成されている。
【００２３】
抗菌シート１１は透明プラスチックシートの表面に光触媒層１５を形成している。この光触媒層１５は多数の薄膜積層体１６からなり、この薄膜積層体１６はチタニア（ＴｉＯ２）などの光触媒物質薄膜体１７と、この光触媒物質薄膜体１７を支持する二酸化ケイ素（ＳｉＯ２）などの支持物質薄膜体１８とが交互に積層されて構成されている。
【００２４】
前記支持物質薄膜体１８は光触媒物質薄膜体１７よりも小さく、且つ光触媒物質薄膜体１７の中央部に位置するように積層されるため、光触媒物質薄膜体１７と対向する光触媒物質薄膜体１７との間には空隙部１９が形成される。
【００２５】
光触媒層１５は光触媒作用の他に、光の干渉と回折および光学反射・透過特性によりその厚みに応じた発色効果を発揮する。
具体的には、所望の発色光の波長（λ）の１/４の厚さに設定することで、所望の発色を行うことが可能になる。
【００２６】
また、上記したような空隙部１１を有するチタニア（ＴｉＯ２）と二酸化ケイ素（ＳｉＯ２）との薄膜積層体１６を製造するには、チタニア（ＴｉＯ２）については例えば平行平板型のドライエッチング装置を用いてパターンニングを行い、二酸化ケイ素（ＳｉＯ２）についてはＢＨＦを用いたウェットエッチングを行う。
【００２７】
以上の構成からなる光触媒層１５を表面に形成した抗菌シート１１を表面（操作画面）に貼着した携帯端末１０を使用する場合、抗菌シート１１表面を指でなぞったり、タップしたり耳に押しつけることになる。このような操作回数が多くなると、光触媒層１５が部分的に摩耗する。
【００２８】
図示例にあっては薄膜積層体１６は光触媒物質薄膜体１７が８層形成されているが、摩耗によって光触媒物質薄膜体１７が７層、６層と減ってくると、光の干渉と回折が変化し、発色の色合いも徐々に異なってくる。
【００２９】
このように、光触媒層１５は透明ではあるが、厚みに応じた色を発色する。そして、光触媒層１５は経年使用による摩擦で厚みが薄くなるので、発色の色も変化する。そこで、本発明のインジケータ６では、表示部６ａは使用開示時の色、表示部６ｄは光触媒機能を発揮できない程度まで光触媒層１５が薄くなった時の色、表示部６ｂと６ｃはこの中間の状態を表す色としている。
尚、インジケータ６は複数の分けずにグラデーションを持たせた横長の表示にしてもよい。
【００３０】
図３は充電器の別実施例を示し、この実施例に係る充電器２１は皿状をなし、携帯端末１０をその操作画面が下を向くようにセットする。充電器２１の底面２２に紫外線を照射するＬＥＤ等の光源２３とインジケータ６が設けられている。
【００３１】
充電器としては、上記図示した形状に限らない。例えば本体と蓋体とが開閉自在にされ、本体側に携帯端末をセットし、蓋側に紫外線の発光部を設けたものでもよい。
【産業上の利用可能性】
【００３２】
本発明に係る充電器はスマートホン、携帯電話、タブレット型端末などの各種端末に適用することができる。また、端末としては抗菌シート１１を貼着した端末に限らず、操作用ガラス面に光触媒膜を積層したタイプのものでもよい。
【符号の説明】
【００３３】
１…充電器、２…前面側壁部、３…背面側壁部、４…溝部、５…光源、６…インジケータ、６ａ、６ｂ、６ｃ、６ｄ…インジケータの表示部、１０…携帯端末、１１…抗菌シート、１２…カメラのレンズ用の穴、１３…スピーカ用の穴、１４…ボタン操作穴、１５…光触媒層、１６…薄膜積層体、１７…光触媒物質薄膜体、１８…支持物質薄膜体、１９…空隙部、２１…充電器、２２…底面、２３…光源。
【図１】
2019071575.tif 000003
【図２】
2019071575.tif 000004
【図３】
2019071575.tif 000005
【図４】
2019071575.tif 000006
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
操作画面に光触媒膜を有する抗菌シートを貼着するか操作画面に光触媒膜を積層した端末用の充電器であって、前記光触媒膜は多数の薄膜積層体からなり、この薄膜積層体は光触媒物質薄膜体とこの光触媒物質薄膜体を支持する支持物質薄膜体とが交互に且つ対向する光触媒物質薄膜体間に空隙部を介して積層されることで、積層厚みに応じた反射色を呈し、また、充電器には充電中に前記光触媒膜に紫外線を照射する光源と前記光触媒膜の摩耗の度合いを色で示すインジケータが形成されていることを特徴とする端末用の充電器。
【請求項２】
請求項１に記載の端末用の充電器は、前面側壁部と背面側壁部との間に端末を挿入するタイプで、前面側壁部または背面側壁部の充電中に端末の操作画面に対向する面に紫外線を照射する面状光源が設けられ、前記背面側壁部の充電中の端末上端よりも高い位置に前記インジケータが設けられていることを特徴とする端末用の充電器。
【請求項３】
請求項１に記載の端末用の充電器は、端末の操作画面を下にした状態で充電する皿状タイプであり、前記操作画面と対向する底面には紫外線を照射する面状光源とインジケータが設けられていることを特徴とする端末用の充電器。